(57)【要約】【課題】小形でデザイン性に優れ、シックハウス症候群の対策として満足できる性能の換気装置を提供することを目的とする。【解決手段】本体９は上下方向に対し左右方向を長くした横長の箱体状で、電動機１の軸２を本体９の横長方向に合わせて横方向に配設し、排気用ケーシング５を本体９の左右方向の一方側に配設するとともに、給気用ケーシング６を本体９のもう一方側に配設して、排気用ケーシング５と本体９の一方側の内壁面との間の空間を排気流路Ａとした構成とすることにより、とくに、小形で居住者の生活行動に邪魔になることなく設置できる換気装置が得られる。【選択図】図１
2004301500.tif 000002
【特許請求の範囲】
【請求項１】
電動機の軸に排気用ファンと給気用ファンを有し、前記排気用ファンの流路を形成する排気用ケーシングおよび前記給気用ファンの流路を形成する給気用ケーシングを有した送風装置を内蔵した本体と、この本体の室内側に設けられる室内側排気口および室内側給気口と、前記室内側排気口と前記排気用ファンを介して連通するように前記本体の室外側に設けられる室外側排気口と、前記室内側給気口と前記給気用ファンを介して連通するように前記本体の室外側に設けられる室外側給気口と、前記室外側排気口および前記室外側給気口を室外と連通するように設けられる排気経路および給気経路とを備え、前記本体を室内の壁面の上方側寄りに配設し、前記室内側給気口から室内の上方に給気する換気装置であって、前記本体は上下方向に対し左右方向を長くした横長の箱体状で、前記電動機の軸を前記本体の横長方向に合わせて横方向に配設し、前記排気用ケーシングを前記本体の左右方向の一方側に配設するとともに、前記給気用ケーシングを前記本体のもう一方側に配設して、前記排気用ケーシングと前記本体の前記一方側の内壁面との間の空間を排気流路としたことを特徴とする換気装置。
【請求項２】
電動機は両側に軸を有し、これらの軸に排気用ファンおよび給気用ファンを取り付けた請求項１記載の換気装置。
【請求項３】
給気用ケーシングと本体のもう一方側の内壁面との間の空間を給気流路とした請求項１または２記載の換気装置。
【請求項４】
室内側給気口を本体のもう一方側の上面に設けるとともに、室内側排気口を前記本体の一方側で前記室内側給気口に対し対角方向に設けた請求項１，２または３記載の換気装置。
【請求項５】
室内側排気口を本体の下面に設けた請求項４記載の換気装置。
【請求項６】
室内側給気口を前後方向に長い縦長の開口で形成した請求項４または５記載の換気装置。
【請求項７】
室内側給気口を形成する開口に、左右方向に設けられ上部側を前方に傾斜させた整流板を
、前後方向に複数個配設した請求項６記載の換気装置。
【請求項８】
整流板を厚みより前後方向の幅寸法を大きくして形成した請求項７記載の換気装置。
【発明の詳細な説明】
【技術分野】
【０００１】
本発明は、建材や家具等に含まれるホルムアルデヒドやＶＯＣ（揮発性有機化合物）によって引き起こされるシックハウス症候群を軽減するために住宅で使用する同時給排気形の換気装置に関する。
【背景技術】
【０００２】
従来の換気装置は、それぞれ室壁内に埋設した給気用ファンおよび排気用ファンを有する換気装置の給気口を室内の比較的上部位置に、また、排気口を比較的下部位置にそれぞれ配設するとともに、この給気／排気通路間に、両者空気の熱交換を行って排気から給気へ熱回収するための熱回収器を配設していた（例えば、特許文献１参照）。
【特許文献１】特開平７−４２９９１号公報（［００１０］〜［００１２］、図１、図２）
【発明の開示】
【発明が解決しようとする課題】
【０００３】
このような従来の［特許文献１］の構成では、室内を形成する壁部内に熱回収器を有した換気扇装置を設け、給気口と排気口のみを室内に開口するものであるため、住宅の建築時にビルトインしなければならないので設置が困難で、既設の住宅では施工が容易にできないという課題があった。また、室内の上方部に給気口を設け、下方部に排気口を設けるために縦長の大きな換気扇装置が必要となるという課題があった。また、室内側に設置した場合に居住者の行動を邪魔しない小形で形成することができないという課題があった。
【０００４】
本発明は、このような従来の課題を解決するもので、既設の住宅の室内にも簡単に設置でき、また、居住者の生活行動に支障をきたさない小形で、インテリア性にも優れ、また、シックハウス症候群の対策として居室の換気を義務化する法令を満足できる性能の換気装置を提供することを目的とする。
【課題を解決するための手段】
【０００５】
本発明の換気装置は上記目的を達成するために、排気用ファンと給気用ファンを有した送風装置を内蔵した箱体状の本体と、この本体の室内側に設けられる室内側排気口および室内側給気口と、前記室内側排気口と前記排気用ファンを介して連通するように前記本体の室外側に設けられる室外側排気口と、前記室内側給気口と前記給気用ファンを介して連通するように前記本体の室外側に設けられる室外側給気口と、前記室外側排気口および前記室外側給気口を室外と連通するように設けられる排気経路および給気経路とを備え、前記本体を室内の壁面の上方側寄りに配設する換気装置であって、前記室内側給気口を前記本体の上面に設けて室内の上方に給気し、前記室内側排気口を前記室内側給気口に対して対角線上に位置する構成としたものである。
【０００６】
この手段の構成により、既設の住宅の室内にも簡単に設置でき、また、居住者の生活行動に支障をきたさない小形で、また、シックハウス症候群の対策として居室の換気を義務化する法令を満足できる性能の換気装置が得られる。
【０００７】
また、本発明の換気装置は、本体を室内の天井面より２０ｃｍ〜３０ｃｍの下方位置に配設することを特徴としたものである。
【０００８】
また、本発明の換気装置は、本体の上面に設けられる室内側給気口に、空気流を斜め前方に送る整流板を設けたものである。
【０００９】
また、本発明の換気装置は、整流板を外気が天井面に沿い給気されるように形成したものである。
【００１０】
また、本発明の換気装置は、排気用ファンおよび給気用ファンを１個の電動機により駆動する構成としたものである。
【００１１】
また、本発明の換気装置は、室内側排気口にフィルターを設けたものである。
【００１２】
また、本発明の換気装置は、室内側排気口に設けたフィルターを本体の外側より着脱可能に構成したものである。
【００１３】
また、フィルターを樹脂成形により室内側排気口の縁に弾性係合する爪と着脱用の取手を有する構成としたものである。
【００１４】
また、本発明の換気装置は、内部を２分割する仕切りを設け、排気経路と給気経路を一体的に形成した給排気ダクトを設けたものである。
【００１５】
また、本発明の換気装置は、室外と連通する排気経路および給気経路を開閉する排気シャッターおよび給気シャッターよりなるシャッター装置を設け、前記シャッター装置はシャッター開閉手段により開閉する構成としたものである。
【００１６】
また、本発明の換気装置は、シャッター装置の一方のシャッターは、本体に横動自在に設けられた横動具に一体に形成され、もう一方のシャッターは、一端部近傍を支点として回動自在に設けられ、前記横動具の横動による前記一方のシャッターの横動に連動して前記もう一方のシャッターを回動させる係合部を前記横動部と前記もう一方のシャッターの前記支点近傍とに設けたものである。
【００１７】
また、本発明の換気装置は、横動具はシャッター装置の一方のシャッターに一体形成されて略Ｌ字状をなし、その水平部分が前記シャッター装置のもう一方のシャッターの支点近傍に係合する構成としたものである。
【００１８】
また、本発明の換気装置は、横動具に本体の外部で横動操作するつまみを一体に設けたものである。
【発明の効果】
【００１９】
本発明によれば、給気と排気が混ざりにくくなり、換気装置を取り付けた室内の広い空間に気流を形成しやすくなって、換気効率を向上させることができ、シックハウス症候群の対策として満足できる居室の換気装置を提供できる。
【００２０】
また、既設の住宅の室内にも簡単に設置でき、さらに、居住者の生活行動に支障をきたさない室内の上方側側寄りに設置する小形の換気装置とすることができる。
【発明を実施するための最良の形態】
【００２１】
本発明の請求項１に記載の換気装置は、電動機の軸に排気用ファンと給気用ファンを有し、前記排気用ファンの流路を形成する排気用ケーシングおよび前記給気用ファンの流路を形成する給気用ケーシングを有した送風装置を内蔵した本体と、この本体の室内側に設けられる室内側排気口および室内側給気口と、前記室内側排気口と前記排気用ファンを介して連通するように前記本体の室外側に設けられる室外側排気口と、前記室内側給気口と前記給気用ファンを介して連通するように前記本体の室外側に設けられる室外側給気口と、前記室外側排気口および前記室外側給気口を室外と連通するように設けられる排気経路および給気経路とを備え、前記本体を室内の壁面の上方側寄りに配設し、前記室内側給気口から室内の上方に給気する換気装置であって、前記本体は上下方向に対し左右方向を長くした横長の箱体状で、前記電動機の軸を前記本体の横長方向に合わせて横方向に配設し、前記排気用ケーシングを前記本体の左右方向の一方側に配設するとともに、前記給気用ケーシングを前記本体のもう一方側に配設して、前記排気用ケーシングと前記本体の前記一方側の内壁面との間の空間を排気流路としたものであり、本体内部を効率よく使用して、本体を横長状の小形に形成でき、換気装置を室内の壁面の上方側寄りに、居住者の生活行動に対し邪魔になることなく、設置できるという作用を有する。
【００２２】
本発明の請求項２に記載の換気装置は、請求項１に記載にものにおいて、電動機は両側に軸を有し、これらの軸に排気用ファンおよび給気用ファンを取り付けたものであり、本体をより小形の横長状に形成できるという作用を有する。
【００２３】
本発明の請求項３に記載の換気装置は、請求項１または２記載のものにおいて、給気用ケーシングと本体のもう一方側の内壁面との間の空間を給気流路としたものであり、本体内部をより効率的に使用して、本体をより小形の横長状に形成できるという作用を有する。
【００２４】
本発明の請求項４に記載の換気装置は、請求項１，２または３に記載のもにおいて、室内側給気口を本体のもう一方側の上面に設けるとともに、室内側排気口を前記本体の一方側で前記室内側給気口に対し対角方向に設けたものであり、本体は小形であっても、室内側給気口と室内側排気口の位置が左右方向と上下方向の双方において遠ざかることとなって、室内空気の排気と外気の給気が混ざりにくくなり、換気装置を取り付けた室内の広い空間に気流を形成しやすくなるという作用を有する。
【００２５】
本発明の請求項５に記載の換気装置は、請求項４に記載のものにおいて、室内側排気口を本体の下面に設けたものであり、室内側給気口と室内側排気口の位置がより遠ざかることとなり、室内空気の排気と外気の給気がより混ざりにくくなるという作用を有する。
【００２６】
本発明の請求項６に記載の換気装置は、請求項４または５記載のものにおいて、室内側給気口を前後方向に長い縦長の開口で形成したものであり、室内側給気口は所定の開口面積を確保しても、縦長であるので室内側排気口と離れるように設けることができるという作用を有する。
【００２７】
本発明の請求項７に記載の換気装置は、請求項６に記載のもにおいて、室内側給気口を形成する開口に、左右方向に設けられ上部側を前方に傾斜させた整流板を、前後方向に複数個配設したものであり、外気が長期間にわたって上方に給気されても、天井面が汚れるのを防ぐことができるとともに、整流板は開口の左右端縁に架設されるリブとしての機能も奏し、縦長の開口の形状を安定したものとするという作用を有する。
【００２８】
本発明の請求項８に記載の換気装置は、請求項７に記載のものにおいて、整流板を厚みより前後方向の幅寸法を大きくして形成したものであり、外気を滑らかに室内上方に給気し、室内の広い空間に気流を形成することとなるという作用を有する。
【００２９】
本第１の発明の換気装置は、排気用ファンと給気用ファンを有した送風装置を内蔵した箱体状の本体と、この本体の室内側に設けられる室内側排気口および室内側給気口と、前記室内側排気口と前記排気用ファンを介して連通するように前記本体の室外側に設けられる室外側排気口と、前記室内側給気口と前記給気用ファンを介して連通するように前記本体の室外側に設けられる室外側給気口と、前記室外側排気口および前記室外側給気口を室外と連通するように設けられる排気経路および給気経路とを備え、前記本体を室内の壁面の上方側寄りに配設する換気装置であって、前記室内側給気口を前記本体の上面に設けて室内の上方に給気し、前記室内側排気口を前記室内側給気口に対して対角線上に位置する構成としたものであり、室内側排気口と室内側給気口の位置が左右方向と上下方向の双方において遠ざかることとなって、室内空気の排気と外気の給気が混ざりにくくなり、換気装置を取り付けた室内の広い空間に気流を形成しやすくなって、シックハウス症候群の因子であるホルムアルデヒド等を効率よく排出する換気ができるという作用を有する。
【００３０】
また、本第２の発明の換気装置は、本体を室内の天井面より２０ｃｍ〜３０ｃｍの下方位置に配設するものであり、外気が天井面近傍に給気され、室内の下方からの排気流と相まって、室内に広く循環気流が発生するという作用を有する。
【００３１】
また、本第３の発明の換気装置は、本体の上面に設けられる室内側給気口に、空気流を斜め前方に送る整流板を設けたものであり、外気が天井面に長期間吹き付けて、天井面を汚すことを防止できるという作用を有する。
【００３２】
また、本第４の発明の換気装置は、整流板を外気が天井面に沿い給気されるように形成したものであり、循環気流が室内のより広い空間に発生し、室内の壁面に沿うように空気が流れるという作用を有する。
【００３３】
また、本第５の発明の換気装置は、排気用ファンおよび給気用ファンを１個の電動機により駆動する構成としたものであり、換気装置の小形化を図ることができるという作用を有する。
【００３４】
また、本第６の発明の換気装置は、室内側排気口にフィルターを設けたものであり、フィルターが使用者の目につきやすい本体の下面等、室内の下方から目につく箇所に設けられているので、使用者がフィルターの汚れの判断をしやすくなり、掃除を促すことができるという作用を有する。
【００３５】
また、本第７の発明の換気装置は、室内側排気口に設けたフィルターを本体の外側より着脱可能に構成したものであり、本体を取り外すことなくフィルターのみを本体から取り外して清掃することができ、メンテナンス性が向上するという作用を有する。
【００３６】
また、本第８の発明の換気装置は、フィルターを樹脂成形により室内側排気口の縁に弾性係合する爪と着脱用の取手を有する構成としたものであり、フィルターの着脱が容易となり、メンテナンス性がより向上するという作用を有する。
【００３７】
また、本第９の発明の換気装置は、内部を２分割する仕切りを設け、排気経路と給気経路を一体的に形成した給排気ダクトを設けたものであり、排気ダクトと給気ダクトをそれぞれ別個に必要とせず、施工が容易となる作用を有する。
【００３８】
また、本第１０の発明の換気装置は、室外と連通する排気経路および給気経路を開閉する排気シャッターおよび給気シャッターよりなるシャッター装置を設け、前記シャッター装置はシャッター開閉手段により開閉する構成としたものであり、排気経路と給気経路を同時に閉鎖または開放でき、効果的に風雨の侵入を阻止することができるという作用を有する。
【００３９】
また、本第１１の発明の換気装置は、シャッター装置の一方のシャッターは、本体に横動自在に設けられた横動具に一体に形成され、もう一方のシャッターは、一端部近傍を支点として回動自在に設けられ、前記横動具の横動による前記一方のシャッターの横動に連動して前記もう一方のシャッターを回動させる係合部を前記横動部と前記もう一方のシャッターの前記支点近傍とに設けたものであり、両方のシャッターおよび横動具のすべてが一平面上の動作となるので、本体を小形化できるという作用を有する。
【００４０】
また、本第１２の発明の換気装置は、横動具はシャッター装置の一方のシャッターに一体形成されて略Ｌ字状をなし、その水平部分が前記シャッター装置のもう一方のシャッターの支点近傍に係合する構成としたものであり、シャッターが開閉動作するのに広いスペースを必要とせず、本体の小形化にさらに寄与するという作用を有する。
【００４１】
また、本第１３の発明の換気装置は、横動具に本体の外部で横動操作するつまみを一体に設けたものであり、複雑なシャッター開閉手段を必要とせず、本体の小形化にさらに寄与するという作用を有する。
【００４２】
以下、本発明の実施の形態について図１〜図８を参照しながら説明する。
【００４３】
（実施の形態１）
図１〜図４に示すように、上下方向に対し左右方向を長くした横長で箱状の本体９内に、電動機１の両側の軸２に排気用ファン３と給気用ファン４を有し、排気用ファン３の流路を形成する排気用ケーシング５と、給気用ファン４の流路を形成する給気用ケーシング６および給気用フィルター７を備えた送風装置８を設けている。電動機１は、軸２を本体９の横長方向に合わせて横方向に配設し、排気用ケーシング５を本体９の左右方向の一方側に配設し、給気用ケーシング６を本体９のもう一方側に配設している。また、本体９の室内下方側となる下面に室内側排気口１０を設け、室内側排気口１０の対角線上となる本体９の上面に室内側給気口１１を設けている、すなわち、室内側排気口１０は、排気用ケーシング５の配設されている本体９の一端側の下部に設けられ、室内側給気口１１は給気用ケーシング６の配設されている本体９のもう一端側の上部に設けられ、室内側排気口１０と室内側給気口１１とは、互いに対角方向に位置している。そして、排気用ケーシング５と本体９の前記一方側の内壁面との間に形成される空間を排気流路Ａとし、本体９のもう一方側には、給気用ケーシング６の吹出し口と室内側給気口１１とを連通する給気流路Ｂを設けている。また、室内側給気口１１は、前後方向に長い縦長の開口で形成されており、その開口に左右方向に設けられ、厚みより前後方向の幅寸法が大きく、上部側を前方に傾斜させて形成され、空気流を斜め前方に送る整流板１２を複数個設けている。そして、室内側排気口１０と排気用ファン３を介して連通するように本体９の室外側に室外側排気口１３を設け、室内側給気口１１と給気用ファン４を介し連通するように本体９の室外側に室外側給気口１４を設け、室外側排気口１３は、壁部１５を貫通して室外と連通し排気経路を形成するように設けられる排気ダクト１６に接続し、室外側給気口１４は、壁部１５を貫通して室外と連通し給気経路を形成するように設けられる給気ダクト１７を設け、壁部１５の外面には排気ダクト１６と給気ダクト１７の室外開口から雨水が侵入しないように防雨フード１８を設け構成している。
【００４４】
上記構成において、換気装置を設置するときには、室内の壁面１９の上方側寄りに配設できるように、壁部１５に排気ダクト１６と給気ダクト１７を埋設し、壁部１５の外面には防雨フード１８を設け、壁部１５の室内側の壁面１９には、壁部１５に埋設した排気ダクト１６と給気ダクト１７に室外側排気口１３と室外側給気口１４が接続されるように本体９を壁面１９に取り付ける。このとき、本体９は天井面２０より２０ｃｍ〜３０ｃｍの下方位置に配設されるのが望ましい。
【００４５】
そして、換気装置を運転すると、排気用ファン３により本体９の下面に設けた室内側排気口１０より室内の下方側の空気が吸い込まれ、室外側排気口１３より排気ダクト１６を通り室外に排気され、給気用ファン４により室外の空気が給気ダクト１７を通り室外側給
気口１４に吸い込まれ本体９の上面に設けた室内側給気口１１より室内の上方に給気され、室内の汚染された空気を排気しながら新鮮な外気を給気する同時給排形の換気装置となり、室内においては、外気が天井面２０に沿い給気され、室内の汚染空気は本体９の下面側より排気されるようになり、室内に循環気流が発生し、室内の壁面１９に沿うように空気が流れながら排気される。
【００４６】
このことにより、住宅建材や、家具に用いられる接着剤等によって発生するシックハウス症候群の原因となるホルムアルデヒドや、ＶＯＣ（揮発性有機化合物）が換気によって室内より排出されることとなる。
【００４７】
また、シックハウス症候群の対策としては、低ホルムアルデヒドや、低ＶＯＣの建材を用いることと、住宅の換気が最も効果的な対策といわれているが、換気については、一般的に用いられてきた３種換気（排気のみ強制換気、給気は自然換気）よりも１種換気（排気、給気共強制換気）が効果が大きいもので、３種換気では室内が負圧となり、自然給気口が設けられていても、壁、床、天井等からも給気され、建材等に含まれるホルムアルデヒド、ＶＯＣが室内に吸引されるような状況となりやすいという問題があり、この点で、１種換気では、給気を強制的に行うことにより、上記の問題が大巾に軽減されることとなる。また、政府において、シックハウス症候群の対策として、住宅のすべての居室の換気を義務化する法令が施行されることとなっており、法令を満足できる性能の換気装置が必要となっている。
【００４８】
このように本発明の実施の形態１の換気装置によれば、排気用ファン３と給気用ファン４を有した送風装置８を内蔵した箱状の本体９と、この本体９の室内側に設けられる室内側排気口１０および室内側給気口１１と、室内側排気口１０と排気用ファン３を介して連通するように本体９の室外側に設けられる室外側排気口１３と、室内側給気口１１と給気用ファン４を介して連通するように本体９の室外側に設けられる室外側給気口１４と、室外側排気口１３および室外側給気口１４を室外と連通するように設けられる排気経路としての排気ダクト１６および給気経路としての給気ダクト１７とを備え、本体９を室内の壁面の上方側寄りに配設する換気装置であって、室内側給気口１１を本体９の上面に設けて室内の上方に給気し、室内側排気口１０を室内側給気口１１に対して対角線上に位置する構成としたので、室内側排気口１０と室内側給気口１１とが、本体９の一端側下部と、もう一端側の上部との対角方向に位置して、上下方向および左右方向の双方に離れて設けられることとなり、給気流と排気流が混合しにくく、効率よい換気ができるとともに、室内全体に気流が形成されやすくなり、シックハウス症候群の対策として居室の換気を義務化する法令を満足できる性能が得られる。
【００４９】
また、室内側給気口１１を本体９の上面に設けることで冬期などのコールドドラフトを防止でき、また、本体９の前面には開口がなく、内部で発生する騒音が前方に伝ぱんしにくくなるとともにインテリア性にも優れている。
【００５０】
また、上下方向に対し左右方向を長くした横長の本体９内に、電動機１の軸２を本体９の横長方向にあわせて横方向に配設し、軸２に排気用ファン３と給気用ファン４を設けるとともに、排気用ケーシング５を本体９の左右方向の一方側に配設し、給気用ケーシング６を本体９のもう一方側に配設し、さらに、排気用ケーシング５と本体９の内壁面との間の空間を排気流路Ａとしているので、本体内部を効率よく使用して、本体９を横長状の小形に形成でき、換気装置を室内の壁面１９の上方側寄りに設けても、居住者の生活行動に対し邪魔になることもなく、設置場所の選定も容易にできる。
【００５１】
また、本体９の上面に設けられる室内側給気口１１は、前後方向に縦長に形成されているので、所定の開口面積を確保しても、室内側排気口１０と離れるように設けることがで
き、排気流と給気流の混合をさらに少なくするすることができる。そして、室内側給気口１１には空気流を斜め前方に送る整流板１２を設けたので、都市部などで給気中に含まれる微細な粉塵（ディーゼル粉塵等）が長期間の使用により天井面２０に付着し、天井面２０が汚れるのを防ぐことができる。また、整流板１２は、室内側給気口１１に左右方向に設けられ、リブとしての機能も奏するので、縦長に形成された開口部を補強して、その形状を安定したものとすることができる。
【００５２】
また、送風装置８の排気用ファン３および給気用ファン４を１台の電動機１により駆動する構成としたので、消費電力が低減でき、騒音の発生も少なくできるとともに装置の小形化を図ることができる。
【００５３】
なお、実施の形態１では、室内側排気口１０を本体９の下面に設けているが、本体９の一端側の下部であれば、本体９の側面でも、また、前面の一部にかかるような箇所であってもよく、要は、本体９の上面に設けられた室内側給気口１１に対して対角方向の位置にあれば、その作用効果に差異を生じない。
【００５４】
（実施の形態２）
図５および図６に示すように、室内側排気口１０Ａの縁に弾性係合する爪２１と着脱用の取手２２を有した粗塵フィルター２３を樹脂成形し、本体９Ａの下面側から室内側排気口１０Ａに着脱自在に設け構成している。
【００５５】
上記構成において、換気装置が運転されると、室内空気中に含まれるほこり等が粗塵フィルター２３に吸着されることとなる。
【００５６】
そして、粗塵フィルター２３にほこりが付着し、掃除を行う状態になったときには、取手２２を操作し、弾性係合している爪２１を室内側排気口１０Ａより取り外して掃除を行い、掃除後は、室内側排気口１０Ａに爪２１の弾性力を利用して取り付ける。
【００５７】
このように本発明の実施の形態２の換気装置によれば、室内側排気口１０Ａに粗塵フィルター２３を設けたので、室内空気中に含まれるほこりが粗塵フィルター２３に吸着されたときには、壁面の上方側寄りに配設された本体９Ａの下面側に粗塵フィルター２３が設けられていることにより、粗塵フィルター２３の汚れの判断が容易となるとともに、本体９Ａ内へのほこりの侵入が少なくなり本体９Ａ側の掃除の手間が省ける。
【００５８】
また、室内側排気口１０Ａに設けられる粗塵フィルター２３を本体９Ａの外側より着脱可能な構成としたので、粗塵フィルター２３のメンテナンスが容易となる。
【００５９】
（実施の形態３）
図７に示すように、本体９Ｂの室外側に設けられる室外側排気口１３Ａと室外側給気口１４Ａに接続されるように、内部を２分割する仕切り２４を設けた排気経路２５と給気経路２６を一体的に形成した給排気ダクト２７を取付具２８を介して本体９Ｂに取り付ける構成としている。
【００６０】
上記構成において、換気装置を設置するときには、給排気ダクト２７を壁部（図示せず）を貫通して壁部に埋設することにより、本体９Ｂの室外側排気口１３Ａと室外側給気口１４Ａを一本の給排気ダクト２７により室外と連通することができる。
【００６１】
このように本発明の実施の形態３の換気装置によれば、内部を２分割する仕切り２４を設け、排気経路２５と給気経路２６を一本のダクトに一体的に形成した給排気ダクト２７を用いたので、排気ダクトと給気ダクトを各々独立して壁部に埋設する場合と比較して施
工が容易となる。
【００６２】
（実施の形態４）
図８に示すように、本体９Ｃの室外側に給排気ダクト２７Ａにより形成される給気経路２６Ａと排気経路２５Ａを開閉するシャッター装置２９を、排気経路２５Ａを閉鎖できる大きさの排気シャッター３３と、給気経路２６Ａを閉鎖できる大きさの給気シャッター３０とにより構成している。給気シャッター３０は、略Ｌ字状の横動具３２が一体に形成され、本体９Ｃの外部から左右方向に移動操作するつまみ３１を介して、本体９Ｃに横動自在に設けられている。排気シャッター３３は、その一端部近傍を支点３４として回動自在に設けられている。そして、排気シャッター３３の支点３４の近傍に突部３５を形成し、この突部３５は、給気経路２６Ａが給気シャッター３０により閉鎖される位置に横動具３２が移動したときに、略Ｌ字状の横動具３２の水平部分に係合し排気シャッター３３を時計方向に回動させて垂直状態とし、排気経路２５Ａが排気シャッター３３で閉鎖されるように、形状が形成されている。一方、横動具３２の水平部分には、つまみ３１により横動具３２を横動して給気シャッター３０を移動させ給気経路２６Ａを開放したときに、排気シャッター３３の突部３５が係合し排気シャッター３３が反時計方向に回動して排気経路２５Ａを開放させる係合凹部３６が形成されている。上記の横動具３２、横動具３２の水平部分に形成した係合凹部３６および排気シャッター３３の突部３５によりシャッター開閉手段３７を構成している。
【００６３】
上記構成において、換気装置の運転時には、図面の二点鎖線で示す位置につまみ３１が横動され、つまみ３１の横動とともに、横動具３２に一体に設けた給気シャッター３０は給気経路２６Ａ外に移動し、排気経路２５Ａに設けた排気シャッター３３の突部３５が横動具３２の係合凹部３６に係合して、支点３４を介して反時計方向に排気シャッター３３が回動し排気経路２５Ａが開放状態となる。
【００６４】
そして、換気装置の運転停止時や暴風時において、雨や雪が室内に侵入する恐れのあるときには、シャッター開閉手段３７のつまみ３１を操作して図面の実線位置に移動すると、横動具３２に設けた給気シャッター３０が移動して給気経路２６Ａが閉鎖されるとともに、横動具３２に設けた係合凹部３６に係合している排気シャッター３３の突部３５が移動し、排気シャッター３３が支点３４を介して時計方向に可動し、排気シャッター３３により排気経路２５Ａが閉鎖されることとなる。
【００６５】
このように本発明の実施の形態４の換気装置によれば、室外と連通する排気経路２５Ａおよび給気経路２６Ａを開閉する排気シャッター３３および給気シャッター３０よりなるシャッター装置２９をシャッター開閉手段３７により開閉する構成としたので、暴風時等に風雨や雪等が室内に侵入するのを防止することができる。
【００６６】
また、シャッター装置２９およびシャッター開閉手段３７を、横動自在に設けた横動具３２と一体に形成される給気シャッター３０と、横動具３２の横道に連動して回動する排気シャッター３３とで構成しているので、複雑なシャッター開閉手段を必要とせず、また、給気シャッター３０、排気シャッター３３および横動具３２のすべてが一平面上の動作となるので、本体９の小形化に大きく寄与している。
【産業上の利用可能性】
【００６７】
本発明の換気装置は、室内の壁面の上方側寄りに配設され、居住者の生活行動に支障をきたさない小形で、室内空気の排気と外気の給気とが混ざりにくく、換気装置を取り付けた室内の広い空間に気流を形成しやすくなって、シックハウス症候群具を軽減するために住宅で使用する換気装置として有用である。
【図面の簡単な説明】
【００６８】
【図１】本発明の実施の形態１の換気装置の構成を示す断面図
【図２】同換気装置を壁部に取り付けた状態を示す断面図
【図３】同換気装置を壁部に取り付けたときの給気流の状態を示す断面図
【図４】同換気装置を設置したときの空気の流れを示す室内の斜視図
【図５】本発明の実施の形態２の換気装置の構成を示す斜視図
【図６】同換気装置の粗塵フィルターの取付状態を示す断面図
【図７】本発明の実施の形態３の換気装置のダクトの構成を示す斜視図
【図８】本発明の実施の形態４の換気装置のシャッターの構成を示す断面図
【符号の説明】
【００６９】
１      電動機
３      排気用ファン
４      給気用ファン
８      送風装置
９      本体
９Ａ    本体
１０    室内側排気口
１０Ａ  室内側排気口
１１    室内側給気口
１２    整流板
１３    室外側排気口
１４    室外側給気口
１６    排気ダクト
１７    給気ダクト
１９    壁面
２１    爪  
２２    取手
２３    粗塵フィルター
２４    仕切り
２５    排気経路
２５Ａ  排気経路
２６    給気経路
２６Ａ  給気経路
２７    給排気ダクト
２９    シャッター装置
３０    給気シャッター
３１    つまみ
３２    横動具
３３    排気シャッター
３４    支点
３７    シャッター開閉手段
【図１】
2004301500.tif 000003
【図２】
2004301500.tif 000004
【図３】
2004301500.tif 000005
【図４】
2004301500.tif 000006
【図５】
2004301500.tif 000007
【図６】
2004301500.tif 000008
【図７】
2004301500.tif 000009
【図８】
2004301500.tif 000010